(57)【要約】  爆発する形態の消火装置が、屋内若しくは局部的な屋外の大火災での使用のために開示され、その爆発力は、低密度で低質量の構成材によって最小化される。本発明は、同じ発明者による米国特許第6,796,382号の改良であり、花火の発火装置が以前の発明の音を弱めるように進歩しており、防火剤の全方向性の分散が改善されている。ボール外側は、耐摩耗性を有する、硬い発泡プラスチック若しくは他の適切な壊れ易い材料からなる軽量のケーシングと、薄いプラスチックと、保護用の外部被覆材料とから構成される。上記装置の内部空洞内には、上述した低出力の花火の発火装置が配置され、外部表面若しくはその近傍において固定されたヒューズコードによって作動される。中空のケーシングにおける内部は、防火化学剤が充填される。
2011501976.tif 000002
【特許請求の範囲】
【請求項１】
低密度で硬い発泡プラスチックから形成された、壊れ易い格納容器と、
上記格納容器内に収容された消化物質と、
上記格納容器内に収容された爆破装置と、
を含み、
上記爆破装置の起動により、上記格納容器が壊れ、上記消火物質を分散させる、消火装置。
【請求項２】
上記格納容器が、半分に切断した相補的な２つの部分から形成された実質的に球状の物体を含む、請求項１に記載の消火装置。
【請求項３】
上記格納容器が、半分に切断した相補的な上記部分の中へ、型で作られた、小さなくぼみのあるパターン、線状のパターン、他の幾何学パターン、ぎざぎざ又はへこみを内部に有する、請求項２に記載の消火装置。
【請求項４】
上記格納容器が、半分に切断した相補的な２つの上記部分を共に安全に保持する、上記球状の物体を実質的に包むプラスチックシート材料を更に含む、請求項２の消火装置。
【請求項５】
上記プラスチックシート材料が収縮包装フィルムを含む、請求項３に記載の消火装置。
【請求項６】
上記格納容器が開口部を備え、
上記消火物質が上記開口部を通じて上記格納容器の中へ導入される、請求項１に記載の消火装置。
【請求項７】
上記発泡プラスチックがビーズ法発泡スチロールを含む、請求項４に記載の消火装置。
【請求項８】
上記発泡プラスチックが発泡スチロールを含む、請求項４に記載の消火装置。
【請求項９】
上記発泡プラスチックがビーズ法発泡スチロールを含む、請求項１に記載の消火装置。
【請求項１０】
上記爆破装置が花火の起爆装置である、請求項１の消火装置。
【請求項１１】
花火の起爆装置を実質的に入れる手段が、接着剤若しくは連結した閉鎖（tied shut）によって密閉された、柔らかい、合成若しくは天然の、海綿状の発泡ゴムの外層を含む、請求項１０に記載の消火装置。
【請求項１２】
花火の起爆装置を実質的に入れるための上記手段がプラスチックシート包装フィルムの中間層を含む、請求項１０の消火装置。
【請求項１３】
花火の起爆装置を実質的に入れるための上記手段が、綿のガーゼの詰め物の内層を含む、請求項１０の消火装置。
【請求項１４】
上記消火物質が乾燥粉末形態の材料を含む、請求項１の消火装置。
【請求項１５】
上記消火物質がリン酸アンモニウムを含む、請求項１の消火装置。
【請求項１６】
上記消火物質が炭酸ナトリウムを含む、請求項１の消火装置。
【請求項１７】
上記格納容器の内部が、第一及び第二の形態の消火物質をそれぞれ含むように構成された、第一及び第二の区画を規定している、請求項１に記載の消火装置。
【請求項１８】
上記格納容器は、半分に切断した相補的な２つの部分から形成された、第二の実質的に球状な物体を含み、
第二の上記物体は、第一の物体の同心円状に配置され、
第一の種類の消火物質を保持するように構成された第一の部屋は、第一の物体と第二の物体との間で規定され、
第二の種類の消火物質を保持するように構成された第二の部屋は、第二の上記物体内において規定され、
上記爆破装置は、第二の部屋内に配置されている、請求項２に記載の消火装置。
【請求項１９】
上記爆破装置は、非常に近接した人間に、衰弱させる震盪性の衝撃を与えるには不十分な出力の火薬を含む、請求項１に記載の消火装置。
【請求項２０】
壊れ易いハウジングと、
上記ハウジングを実質的に入れるための手段と、
爆発するとき、近くの人間の聴覚系に対して安全であり、上記ハウジングの中に位置する爆破装置と、
上記ハウジング内に配置され、実質的に上記爆破装置を取り囲んでいる消火物質と、
を含む消火装置であって、
上記ハウジングは、上記爆破装置の爆発によって分解されるような材料から形成されており、
その破片は、爆発の間、消火装置に非常に近接した人間に対して安全であり、
上記爆発によって消火物質が分散する、消火装置。
【請求項２１】
上記ハウジングが、機械的に相互に連結された第一及び第二の相補的な部分を含む、請求項２０に記載の消火装置。
【請求項２２】
実質的に入れるための上記手段がプラスチックシート材料を含む、請求項２０に記載の消火装置。
【請求項２３】
実質的に入れるための上記手段が、上記ハウジングを防水するように構成されている、請求項２０に記載の消火装置。
【請求項２４】
上記ハウジングが、上記爆破装置の爆発後に上記消火物質を均一に分散するように形成されている、請求項２０に記載の消火装置。
【請求項２５】
上記ハウジングは、低密度で、硬い発泡プラスチックから作られている、請求項２０に記載の消火装置。
【請求項２６】
上記ハウジングは、第一及び第二の種類の上記消火物質を保持する第一及び第二の分室を含む、請求項２０に記載の消火装置。
【請求項２７】
消火装置に最も近い人間に対して損害を与えない消火方法であって、
上記方法は、低密度で、硬い発泡プラスチックから形成された、壊れ易い格納容器と、当該格納容器内に収容された消化物質と、当該格納容器内に収容された爆破装置とを含む消火装置を準備する工程と、
人間の介入を要求することなく、火によって上記爆破装置作動させる工程と、
を含み、
上記爆破装置の作動によって、上記格納容器が破壊され、消火用の抑制化学物質を全方向に分散する、方法。
【発明の詳細な説明】
【発明の詳細な説明】
【０００１】
〔発明の技術分野及び産業上の利用可能性〕
本発明は消化装置に関する。特に、この発明は、爆発力を利用して、ウェット及びドライタイプの消化化学剤を分散させる装置に関する。
【０００２】
〔背景技術〕
Kaimart（同じ発明者）の米国特許第6,796,382号の装置では、低コストで、素早く配置可能で、非常に効果的な消化装置に関する多数の課題に取り組んだ。しかしながら、広範囲にわたる試験、及びこの装置の実機バージョンの実際の使用から、これらには、改善のための２つの領域が残っていることが分かった。１つは、人的要因であり、もう一方は、消化効率の改善である。人的要因及び市場受容性を満足させることに関しては、使い易さ及びコストが低いことに加えて、そのオリジナルの形態における消火ボールの爆発音に関して幾つかの恐怖が存在することが見出された。共通の生産バーションにおける、非常に聴覚的な、突然の大音響は、１２０〜１２５ｄＢ前後で測定され、事実上”アラームを鳴らせること”における利点となる考えられるが、多くの使用者を怖がらせる。よって、この爆破音を幾らか弱めることが望ましい。
【０００３】
使用する防火化学剤の実際の分散パターンは、消火効率において充分ではなく均一な全方向性ではないことが試験及び実際の使用によって判明した。上記分散パターンは、装置の外部形状、経験に基づいて派生したケーシングに対する変更、並びに花火の起爆装置（pyrotechnic detonator）の形状のような要因によって影響されることが見出された。上記起爆装置を管状形にすることによって、爆発による化学的防火材料の拡がりに関する最大分散は、このような起爆装置の軸に沿うことになり得、当該軸に対して水平な面における分散は明白とはいえ、断言はできない。
【０００４】
よって、本発明は、これらの２つの制限を解決するように設計された改良版であり、同時に、この装置の出願人と同じ発明者に付与された米国特許第6,796,382号の装置における全ての魅力的な特性を保持している。
【０００５】
〔発明の開示〕
この発明の目的は、安価で、小型で容易に使用し得る装置を提供することである。これは、爆発する形態であるが、その作動において、いかなる深刻な安全上の問題も存在しない。
【０００６】
上記開示の一部において、本発明が、使い捨ての装置であり、その基本的構成において環境に優しく、作動したときに、消費した、当該装置と共に用いられた消火／火災の沈静のための化学物質とほとんど大差ない残留物を放置することを確立することが重要である。上記装置において、再利用に影響を及ぼすような試みはない。これは、上記装置を詰め替えることのみならず、リサイクルした装置が、保護又は実用性において要求されるレベルにおいて再度機能することができることを試験及び保証することができるリサイクルのための社会基盤が必要なことに加えて、再利用可能な装置は、再製造プロセスにおけるストレスに耐えることができる構成が要求されるからである。これによって、再利用可能な要素が、詰め替え／再製造のためのみならず、１回よりも多い使用のために確実に機能させることができるように充分頑丈にしなければならないとの要求が、当然ながら導かれる。再利用可能な装置におけるこれらの前提条件、特に、装置（その装置に寿命および特性が依存し得る装置）に関する前提条件によって、一般社会での使用のための、再利用可能な容器若しくはシステムは経済的に批判されると感じられる。
【０００７】
低コスト、容易な製造、効率的な消火装置のために必然的に要求されることは、低質量で、安価に製造され、その中に最大限の防火化学剤が入った格納容器（これは、完全な機能単位の全重量に対する消火剤の、高い相対重量／質量パーセントとして考えられる）、並びに、自身が軽量で、大量に作られず、安価であり、装置が保管され使用されないときには装置容器に関して僅かな要求しかしない、安易な方法による化学剤の分散方法である。一般大衆から支持を得るためには、その上、他の価値をも要求される。これは、その作業において効率が高く、即ち、直感的に使用し易く、必要な時に、身近ないかなる場所にでも置けるように充分小型であり、安価であることである。
【０００８】
よって、ここで開示される装置は、以下の特徴を有することが意図される。シンプルであり、自己完結的なデザインであり、以下の構成のものである。当該構成は、その物理的完全性及び動作する能力は、技術的知識に高度に熟練していない一般人による外観の目視検査を通じて、素早く推量することができ、安価で、近隣の任意の国において、世界中で容易に製造することができること；混乱した、又は部分的に健康を害した使用者が、ほとんど深慮せずに使用し得るように、使用において直感的にシンプルであること；審美的な異論がなく、ほぼどのような環境においても設置又は保管し得るように、大きさ及び形状に当たり障りがないこと；人間の介入によって、又は人間の介入無しでの作動する能力、そして、もし人間の介入がなければ、爆発と同時に、上記装置は、火の脅威の付近における人間へ警告する、充分な、突然の大音響（aural report）をもたらすこと、である。米国特許第6,796,382の装置は、上述した問題にもかかわらず、これらの目標を達成した。
【０００９】
しかしながら、上記制限に取り組むため、花火の起爆装置と格納容器の内部表面とについて改善が成された。上記起爆装置に関しては、小さい黒色粉末状火薬又は他の加速剤があり、これは、最初に、当該加速剤を、綿のガーゼの詰め物の中に注入し当該加速剤を覆い、これをプラスチックシート材料層で包み、最後に、これをポリクロロプレン合成発泡ゴム（ネオプレン）又は他の柔らかい発泡材料の外層で包むことによって、化学防火材料を分散させるのに充分な震盪性の力を有する。このような構成によって、音をより合理的なレベルへと弱める、充分な震盪性の衝撃波のみを吸収することができる。上記装置の外側の格納容器の厚さと同程度の厚さの場合に限り、爆発音は、１００〜１０５ｄｂまで減少し、上記装置における音によって警告する利点が保持しつつ、人間の聴覚に対してより安全であり、且つ聞き取ることができ、より多くの使用者に使い易い。
【００１０】
上記装置の分散パターンに関しては、球状のケーシングを備えた好ましい実施形態では、型に入れてケーシングの中へ作られる、内部の小さいくぼみのぎざぎざ（indentation）を増加させている。このために望ましいパターンの中で、これらぎざぎざは、格納容器の内部表面上における半球状のへこみの形をとることができ、その結果、内側のみにおいて、通常のゴルフボールの外部表面が容易に連想される。これらの変形は、爆発における、外側ケーシングのより均一な分解、並びにより効率的な防火化学フィラーの分散を援助する。
【００１１】
分散の全方向性は、それ自身が球形状であり、且つ上述の構成中に入れられる場合における、起爆装置の形状によって更に高められる。ここでは、ポリクロロプレン等の外層が、予め形成された空洞のボールであり、加速剤が、上述した内層で包まれており、且つスリット（即ち、当該ボールは、当該加速剤を挿入後に、共に接着剤でくっつけられた２つの半球体からなる）を通じて当該ボールの中へ挿入されている。しかしながら、例え、上記起爆装置がより一般的な円筒状であるとしても、綿のガーゼの詰め物、プラスチックシート包装、及びその後の合成発泡ゴム層からなる連続層もまた、上記装置の防火化学フィラーのより均一な分散を援助する。
【００１２】
〔概要〕
本発明は、爆発性の消火装置であって、３つの基本的構成要素、
ａ）壊れ易いケーシングであり、その構成は、爆弾の破片が危険な存在に相当しないこと、
ｂ）市場で入手可能な消火剤であり、単一若しくは複数の成分の組み合わせにおける、ドライ、ウェット又は他の形態の何れかであること、
ｃ）起動の間に、上記装置の比較的近くであっても、衰弱させる震盪性の衝撃を人間へもたらすには不十分な、爆発規模の小さい起爆装置であること、
を含み、危険で、市場で入手可能で、よく見られるような、爆発物の破片を構成するのに充分な、硬さ、質量若しくは密度を有するいかなる構成要素をも欠けている形態が好ましい。
【００１３】
好ましい実施形態においては、構成要素ａ）は、低密度で、硬い、成形された発泡プラスチックを含む。当該発泡プラスチックは、球体を含む、ある半球状の成形した形状であるかもしれないが、これには限定されない。ここで、成形した２つの同じ部分は完全な球体を形成するが、この場合もやはり、これは、本発明をある形状に限定するものではなく、上記ケーシングにおける他の可能な形態を排除するものではない。上記格納容器の内部表面には、条線、円形の小さいくぼみのぎざぎざ、又は、均一な、発泡ケーシングの分解及び防火の分散を促すことを助けるような、他の幾何学パターンが型によって形成される。
【００１４】
このような２つの半球体の組立によって形成した継ぎ目を緯度方向の基準面と考えると、当該構成要素である半球体の極領域、又は他の都合の良い位置において、小さな穴が、外部表面の空洞近傍に位置し、当該空洞を通じて、小さい発火ヒューズコードが、飛び出ており、上述した空洞において平坦に置かれる。半球体に形成される、これらの接合にある円形のフィラー穴は、既に内部にある起爆装置を備えた全ユニットを２分するケーシングの組立後、化学消火剤を上記装置へ充填するための穴として十分である。
【００１５】
硬い発泡ケーシングの壁厚は、直径が約１５ｃｍの装置では、０．８〜１．０ｃｍの間が適切であることが見出された。２分される２つのケーシングを組み立てることに、上記ケーシング材料に適合する接着剤が用いられるが、必須のものではない。
【００１６】
典型的には、一般に入手可能で、適度な厚さの、プラスチック収縮包装フィルムの１以上の層によって、外層として組み立てられた上記ケーシングを取り囲む。この装置における球状外観の実施形態において、第一の層は、垂直方向に適用され、球体の極を横切り、フィラー栓と同様に２つの半球体を確実に保持し、当該極におけるヒューズ端部を覆う、収縮包装フィルムの幅の広いバンドとなり得る。この層は、低温の温風を上記収縮包装フィルムへ適用した後、上記球体のほとんどを覆う。第一の層と、大きさ、厚さ及び直径において同一部品となる第二のバンドは、２つの組み立てられた半分の部分によって形成される継ぎ目における周囲の緯度方向に適用される。上記第二のバンドが熱によって上記球体に合わせられた場合、当該層は、全体的に、上記発明の外部を完全に覆う。上記収縮包装フィルムは、上記装置の外形がどのようなものであっても、構造上の特性をもたらすことができる。ケーシング用の、典型的な、低い密度の硬いプラスチック発泡材料は、当該構造上の特性が欠けており、例えば、表面摩擦の抵抗がより高い、伸長性のある外部「スキン」である。
【００１７】
この被覆材料は、適度な、シリコーンベース、又はその他の、シーラントを、選択された僅かな領域において追加して適用することによって上記発明の耐水性を高めるように援助する。
【００１８】
構成要素ｂ）は、主要な、且つ場合によって補助的な、消火剤である。化学剤の選択は、コアの化学物質（単一の壁のある種類における、化学的な火薬（charge）を意味し、本発明の複数の壁のある種類における内部コア火薬を意味する）が、市場で入手可能な、リン酸アンモニウム若しくは炭酸ナトリウムタイプ、又は乾燥粉末形態の他の適切な任意の化学物質のような乾燥粉末タイプのものとすべきことだけのみに制限される。そうでなければ、上記起爆装置が、いかなる他の物理的形態の上記薬剤に影響されないもの、又は、保護包装若しくはコーティングを介して化学剤から分離されたものであるに違いない。
【００１９】
化学剤の上記選択は、入手可能性、コスト、及び火災の原因の特定の形態のために本発明の種類を限定する意図によって決定することができる。
【００２０】
別の方法で、液体、又は大気圧において若しくは大気圧近傍において均一なガス状薬剤は、本質的に、より大きいのみで、内部ケーシングと同じ構成である外部ケーシングを備えた、外部空洞又は複数の壁がある構成の複数の外部空洞、にこれらを加えることによって供給され得る。他の商業的に知られた、特殊化した液体薬剤は、より高い、特殊化した能力をもたらすが、ただの水でさえ、上記装置の爆発によって、ミスティングを通じて瞬間的なクーラントとしての消火効率における著しい増加をもたらすことが知られている。
【００２１】
構成要素ｃ）は、どちらか一方の端部においてヒューズコードを備えた起爆装置である。通常、市場で入手可能な、球状の花火の起爆装置は、上記装置のケーシングを爆発させ、且つ効率的なパターンで消火剤を分散させるのにやっと足りる程度の爆発規模となる大きさでは、マグネシウム／アルミニウム粉末ベースタイプのものが典型的であり、広い利用可能性から選択される。
【００２２】
爆発する爆発性の火薬は、綿のガーゼの詰め物の中に覆われ、又は、部分的に綿のガーゼの詰め物の中へ注入され、そして、薄いプラスチック包装材料で包まれ、最後に、上記装置の外側格納容器に相当する厚さ（例えば、直径１５ｃｍの製品では、０．８〜１．０ｃｍ）の、予め形成された、中空の合成発泡ゴムボールの中に入れられる、又は当該合成発泡ゴムボールのシートで包まれる。各種密度の粒子が切り刻まれ、細かく切られ、混合層へと再結合された、又は球状の空洞ボールへと予め形成された、リサイクル発泡体もまた、問題なく機能する傾向にある。
【００２３】
１５ｃｍの、単一の構成要素である、この発明における乾燥した化学物質の装置は、より均一な全方向分散パターン（好ましい球状の外部形状が与えられるとすれば）において、爆発点から最大で２ｍ以上その化学剤を分散させる能力がある。そして、大きな爆発力の必要がなく、多くの形態における火の半径内の炎の自発的な消火を効果的に達成することができる。直径が１５ｃｍであるこの発明の装置において、乾燥粉末状化学物質コアを分散させるのに要求される力は、ほとんどの場合では、０．５ｍ以下の範囲から離れた場所における第三者へ、僅かな、一時的な損傷のみをもたらすであろう。そして、爆発の間、上記装置と直接接触する場合であっても、実際の構造のバリエーションや、起爆装置の出力を軽減することによって、永久損傷を引き起こすことは非常にまれである。
【００２４】
これは、上記発明の上記格納容器又はケーシングは、前に開示したように、外壁を有する壊れ易い発泡材料からなるという事実に起因している。この形態が、外部における自然な節度のある誤用に対して上記装置の物理的完全性を維持するのに充分頑丈であり、長棚に設置することが可能である場合、内部からそれを粉々にし、その化学剤を分散するのに要求される力は大きくない。
【００２５】
〔図面の簡単な説明〕
基本設計の幾つかの変形を含む本発明の５つの図面がこの開示に含まれる。これらの図面は、上記装置の全ての必須要素を描写しているが、外部形状を、示されるこれらのみに限定することを意図していない。
【００２６】
図１は、遠近法による、消火装置の断面図を描いている。図２は、米国特許番号6,796,382における、同じ発明者Woradech Kaimart（彼の名前はPhanawatnan Kaimartへ自発的に変更された）による従来技術の図である。図３は、この発明の基礎外部形状バージョンの図であり、幾つかの他の図で使用した断面図における基準面を示す。図４は、内部表面のみを示す外部筒（格納容器）についての消火装置の断面図を遠近法で描いている。図５は、消火装置の基本設計に対して、二重壁へと変形したものの断面図である。図６は、本発明の後及び底における詳細を示す、分解した斜視図である。図７は、成形した、外部の合成気泡ゴムの中空のボール包装材を使用した、球状における、改善した起爆装置の断面図である。図８は、シート状包装層を用いた、より一般的な円筒状起爆装置の断面図である。
【００２７】
上記図面において使用する参照番号のリスト：
１    収縮包装プラスチックフィルム層間が重なり合う領域
２    垂直に（即ち、縦方向に）固定された収縮包装プラスチックフィルム層
３    壊れ易い包装
４    半球の縁の中へ入れられる、さねはぎ継ぎ
５    スポンジ気泡ゴム等に入れられた起爆装置
６    ヒューズコード（起爆装置の片側における）
７    水平に（即ち、緯度方向に）固定された収縮包装プラスチックフィルム層
８    消火化学剤フィラー
９    フィラー穴及びはめ込み式の栓
１０  半球状ケーシング片側部分間のつなぎ目
１１  基礎設計を二重壁へと変形したものの外部空洞内における第二の消火化学フィラー
１２  内部及び外部包装間のスペーサリング
１３  極に位置する中心点に成形された、二重壁の変更
１４  外部ケーシング、二重壁変形
１５  ケーシングとして機能しない場合における、起爆装置端部の接合材
１６  起爆装置ケーシングの外部表面
１７  花火のフィラー
１８  綿のガーゼの詰め物の層
１９  格納容器を囲む、縦の収縮包装バンド
２０  プラスチック包装層（他の場所で使用される収縮包装材料と同じにすることができるが、熱は加えられない。）
２１  格納容器の内部表面上における、小さいくぼみのぎざぎざ
２２  格納容器を囲む、横の収縮包装バンド
【００２８】
〔本発明を実施するための最良の形態〕
上記要約における所定の明細事項を満足させるため、図１、及び３のような他の図において見られる本発明の格納容器は、好ましい材料として、軽量で、低密度な、硬い発泡プラスチックが利用され、最近における最良の選択の中では、ＥＰＳ（ビーズ法発泡スチロール）とが特定される。環境に優しい、この材料は、要求される部品の形状へと型によって成形される。好ましい実施形態では、半球形状が要求されるかもしれず、これは、当該半球形状から組み立てられる球体は、製造において簡単であり、効率的であり、利用するときに最も均一な、無限方向の分散パターンを生じる形状となることはもとより、表面積に対する内部体積の比が最も高く、よって、装置の大きさを最小化することができるからである。
【００２９】
球状外観の実施形態において、各半球状の縁の半分は、舌突起部（tongue protrusion）と、これら１０間で安定に接合した球体の両側に利用される単一の型による成型を可能にする、フィラー穴及びはめ込み式の栓９（半分）用の縁の小さい部分を除いた、上記縁の残り半分上の整合した溝４（即ち、他の接合機構）とを備える。これら内部表面の内部表面は、図４で見られるように、多数のぎざぎざが形成され、直線状の溝が垂直及び水平に形成され、又は、同様に、装置の爆発後の均一な分解を援助する、他の幾何学的パターンによって変形される。
【００３０】
本発明は、手で投げることよって、転がすことによって、落とすことによって、機械的に推進させることによって、又は、そうでなければ、火の近傍の中へ直接供給することによって、投入することが意図される。その後、球体の極端（polar ends）の一方又は両方におけるヒューズコード６が点火し、次に、起爆装置５を駆動させる。この駆動装置の爆発規模は、泡発泡体のケーシング（発泡ケーシング）を粉々にし、化学剤８を分散させる。この好ましい実施形態は、上記装置の作動するために可能な、最も経済的な解決法の１つである。この開示は、共用紙若しくはボール紙で包まれた花火の花火用起爆装置が使用され得る唯一の形態であることを強く主張するものではない。しかしながら、一般公衆の使用においては、選択される上記起爆装置は、上記起爆装置の爆発によって、微小な無害の飛行破片へと効果的に分解するような、成分の低い密度及び質量を有する材料から構成されるタイプであるに違いないことが意図される。
【００３１】
それら構成部分からの本発明の組立は、起爆装置５のヒューズコード６の１つを、上記発泡プラスチックケーシング３における通し穴を介して通すことから始める。そして、そのような長さにそのコードを切断し、その端部を、組み立てられた装置のほぼ質量中心において起爆装置５がつるされるように、ケーシングにおけるヒューズ６先端用くぼみの空洞の中に挿入する。次に、第二のヒューズコードが同様に特定の長さに切り取られ、上記ケーシング表面における予め成形されたくぼみの空洞の中へはめ込まれた後に、上記起爆装置の他の端部における他のヒューズコードは、同様に、上記ケーシングの底部における穴を通され、２つのケーシングの半分を共に押圧され、さねはぎ継ぎ４又は他の接合機構によって適当な位置に保持される。
【００３２】
そして、乾燥化学消火／火災抑制剤８が、フィラー穴９を通じて、上記ケーシングの中へいっぱいになるまで注がれる。そして、当該穴は、その後、型に入れて作られた、固定するためのプラグ（molded-to-fit plug）によって閉じられる。そして、予め一定の大きさに作られたプラスチック収縮包装バンド２又は７（ポリオレフィンフィルムよりも収縮に要求される熱がより低いため、典型的にはＰＶＣプラスチック）が、上記ケーシング３又は１７に適合させられる。球状の実施形態では、ある収縮包装フィルムバンド２は、垂直に（当該バンドの中心線が縦方向に方向付けられ得ることを意味する）適合することができ、この好ましい形態において、円形の収縮包装バンドの中心線は、上記半球体１０間の継ぎ目におけるフィラー栓９の中心線を横切るのと同様に、上記組立品の頂点及び底部における、空洞に置かれたヒューズコード 6の先端を横切り覆うことになるはずである。
【００３３】
その単一の収縮包装バンド２によって、効果的に、全ての球体の組立品は、固定及び密閉したユニットへと強いられるが、通常上記球体の全表面を覆わないであろう。これは、典型的なプラスチック収縮包装フィルムの最大収縮比が、温風の利用下において、上記収縮包装バンドの端部にとって、これら輪郭を効果的に減少させ、球形の全表面を完全に、且つ巧妙に囲むためには通常不十分であるためである。よって、高い収縮比特性を有するフィルムは充分にはなく、上記収縮包装バンドの幅は、球形状上にきちんと合わせることができる幅に限定される。
【００３４】
次に、第二のバンド７は、上記球状組立品へ必然的に伴い、この１つは緯度の方向に適用される。即ち、２つの半球体１０間の継ぎ目を有する平面における同一場所に位置する、このバンドの中心線にフィットさせ、そして同様に、組立品のヒューズコードの点火温度よりかなり低い温度に空気を操作した、工業的に一般的である、温風送風機によって若しくは温風トンネルを通って、球体の表面の輪郭を熱でつける。この時点で、上記装置の基本的な組立は完了する。
【００３５】
この手順についての軽微な改良は、ケーシング及び収縮包装フィルムの組成と適合する、適量のシリコーンベースの若しくは他のシーラーを加えて、収縮包装フィルムによって与えられた保護の他に、ケーシング継ぎ目、フィラー栓及びヒューズコード穴に水分が浸入することを防ぐようにすることを含む。この組立プロセスは、予め型で作られたケーシングが与えられれば、１０人以下の未熟な労働者の労働力によって、手作業で１日数百個組み立てることができ、本発明の製品を、相当遠く離れた後進地域であっても利用し易くし得るのに充分に、シンプルであり、短時間である。
【００３６】
この開示において提供される図面における図５に見られる改良は、内部及び外部ケーシングの間の空洞を囲むのに充分な大きさの、更にもう１つの、第一のケーシングとそっくりのおおむね同心の殻１４内に、上述した全組立品を入れることである。ここで、その空洞は、内部コアの乾燥した化学的な火薬との反応剤、又は多様で専門的な火の形態に対する装置の範囲を広げる第二の化学剤となり得るような性質の、乾燥したもの若しくは液体であろう第二の消火剤１１で満たすことができる。即ち、例え、液体クーラント（ただの水でもよい）を加えたとしても、上記装置の鎮火効率は増加する。このようなクーラントの使用は、火による蒸気の中で急激に膨張するため効果的であり、冷却効果が生み出される。このようなことは、先行技術の多くの例によって知られており、多くの火の形態において著しい効果がある。
【００３７】
このような、図５中で見られる”多層の”構成は、この開示の意図としては、第二の外部ケーシングには限定されない。この開示では、この有用性において、消火構成要素の分離のための更にもう１つのケーシングによって囲み得る、加えられる層（それゆえ、部屋）の数は、追加層の追加される複雑性における実用的価値にちょうど限定されることが強く主張される。ここでの最新技術における進歩は、非常に基本的な製造設備において組み立てられ得る小さくてシンプルな装置として利用可能な、消防の複雑化及び汎用性における選択肢である。
【００３８】
本発明のコンパクトさ及び製造における低コストのため、上記装置は、建物内の多数の地点において都合よく置くことができる。学校、オフィス及び家における、廊下、洗面所及びクローゼットでも、置くことができ、信頼できる、非常に豊富な、火に対する防御をそこにもたらす。
【００３９】
壁上若しくは火の危険の近くにおいてシンプルなブランケットホルダーを固定設置した状態の自己作動運転において、望ましい予備量とすることによって、発火装置用ヒューズ及び起爆装置の長所によって保護をもたらす上記装置の能力を増加させ、ブランケット若しくはホルダーの上若しくは中に静的に設置している間、使用者の介入の必要なく、上記装置を自然に機能させることを可能にする。加えて、爆発による適度な大きさの聞き取れる破裂についての他の特有の安全要因があり、これは、上記デバイスが自己作動する場合、他のセンシングデバイス若しくは電子回路を使用する中央集権化したシステムとは無関係な警告アラームとして十分である。
【００４０】
直感的な、手動での使用によるシンプルな方法は、緊張した、ストレスの多い条件において、巧妙さ若しくは深慮は求められず、未熟な使用者による適切で効果的な使用の可能性を増加させる。任意の形態の消火装置によって最初の炎が沈静した後に、燃料源及び／又は充分な熱を吸収し、火をくすぶり、再点火させる他の固定物の位置よりも火災が進行した場合、少量のこれらの装置は、火に囲まれた建造物の外の出口への通路を開放することを助けることに使用し得るのに充分持ち運びすることができる。「使い捨て」として、１回使用される装置は、手動配備が選ばれた場合、上記装置を炎の中へ投げ出される、幾つかの従来技術におけるある形式若しくは他の形式のように、安全ロックの解放、タイマーのセッティング、バルブの若しくはスイッチの開放、トリガーの操作及び／又は炎に対向する変化する範囲の中へのスプレーした抑制剤の配向よりもより早く、より簡単で自然である。これらのシステムは、過度に複雑ではないが、火の犠牲者は、熱及び／又は煙によって部分的に痛めつけられることが広く知られており、彼らが生命に関わる事態にあり、簡単な仕事でさせ困難となり、彼らの心的能力は十分機能し得ないことが知られている。
【図面の簡単な説明】
【００４１】
【図１】図１は、遠近法による、消火装置の断面図を描いている。
【図２】図２は、米国特許番号6,796,382における、同じ発明者Woradech Kaimart（彼の名前はPhanawatnan Kaimartへ自発的に変更された）による従来技術の図である。
【図３】図３は、この発明の基礎外部形状バージョンの図であり、幾つかの他の図で使用した断面図における基準面を示す。
【図４】図４は、内部表面のみを示す外部筒（格納容器）についての消火装置の断面図を遠近法で描いている。
【図５】図５は、消火装置の基本設計に対して、二重壁へと変形したものの断面図である。
【図６】図６は、本発明の後方及び底における詳細を示す、分解した斜視図である。
【図７】図７は、成形した、外部の合成気泡ゴムの中空のボール包装材を使用した、球状における、改善した起爆装置の断面図である。
【図８】図８は、シート状包装層を用いた、より一般的な円筒状起爆装置の断面図である。
【符号の説明】
【００４２】
１    収縮包装プラスチックフィルム層間が重なり合う領域
２    垂直に（即ち、縦方向に）固定された収縮包装プラスチックフィルム層
３    壊れ易い包装
４    半球の縁の中へ入れられる、さねはぎ継ぎ
５    スポンジ気泡ゴム等に入れられた起爆装置
６    ヒューズコード（起爆装置の片側における）
７    水平に（即ち、緯度方向に）固定された収縮包装プラスチックフィルム層
８    消火化学剤フィラー
９    フィラー穴及びはめ込み式の栓
１０  半球状ケーシング片側部分間のつなぎ目
１１  基礎設計を二重壁へと変形したものの外部空洞内における第二の消火化学フィラー
１２  内部及び外部包装間のスペーサリング
１３  極に位置する中心点に成形された、二重壁の変更
１４  外部ケーシング、二重壁変形
１５  ケーシングとして機能しない場合における、起爆装置端部の接合材
１６  起爆装置ケーシングの外部表面
１７  花火のフィラー
１８  綿のガーゼの詰め物の層
１９  格納容器を囲む、縦の収縮包装バンド
２０  プラスチック包装層（他の場所で使用される収縮包装材料と同じにすることができるが、熱は加えられない。）
２１  格納容器の内部表面上における、小さいくぼみのぎざぎざ
２２  格納容器を囲む、横の収縮包装バンド
【図１】
2011501976.tif 000003
【図２】
2011501976.tif 000004
【図３】
2011501976.tif 000005
【図４】
2011501976.tif 000006
【図５】
2011501976.tif 000007
【図６】
2011501976.tif 000008
【図７】
2011501976.tif 000009
【図８】
2011501976.tif 000010
【国際調査報告】
2011501976.tif 000011